(57)【要約】      （修正有）【課題】ブラックライト等の使用頻度が多いイベントホールやカラオケボックスなどの暗闇にて発光し、エンターテイメント性を与え、かつカラーレーザープリンター又はカラーＬＥＤプリンターによる印刷物で簡易的に製造する蛍光折り紙を提供する。【解決手段】折り紙を着色するのは、蛍光顔料混入の樹脂である。使用する樹脂は特に限定するわけではないが、ポリエステル樹脂、アクリル樹脂等の紙との親和性の高いものが望ましい。顔料である有機蛍光顔料の添加量を１ｗｔ％〜５０ｗｔ％望ましくは１０ｗｔ％以下である。１ｗｔ％より少ないと着色力及び発光力が乏しくなる。蛍光折り紙は、カラーレーザープリンター又はカラーＬＥＤプリンターによる印刷物であり、簡易的に製造が可能である。【選択図】図１
0003193200.tif 000002
【実用新案登録請求の範囲】
【請求項１】
可視光下において有色かつ、ブラックライト等の近紫外線照射により光の三原色に発行する蛍光折り紙。
【請求項２】
本考案の蛍光折り紙はカラーレーザープリンター又はカラーＬＥＤプリンターによる印刷物である。
【考案の詳細な説明】
【技術分野】
【０００１】  本考案は折り紙の醍醐味である“折る”という機能性を保ちつつ、なおかつ可視光下において有色かつ、近紫外線照射によって光の三原色に発光することを特徴とする蛍光折り紙に関する。また、本考案はカラーレーザープリンター又はカラーＬＥＤプリンターによる印刷物に関する。
【背景技術】
【０００２】  現在、市販されている蛍光色の折り紙において可視光下で蛍光色を示すものは多いが、暗闇において発光するものは少ない。
【考案の概要】
【考案が解決しようとする課題】
【０００３】  日本の伝統的文化である“おりがみ”。一枚の紙から花、動物などを折り出すことが出来るように“折る”ということが醍醐味であることは今昔変わりないが、近年、教育、リハビリテーションなど折り紙に求められる役割は多様化しているといえる。それに伴い、求められる色調も増加し、折り紙においてそれ自体の色も重要な要素のひとつである。【０００４】  現在、市販されている蛍光色の折り紙において可視光下で蛍光色を示すものは多いが、暗闇において発光するものは少ない。そこで、ブラックライト等の使用頻度が多いイベントホールやカラオケボックスなどの暗闇にて発光し、エンターテイメント性を与え、かつカラーレーザープリンター又はカラーＬＥＤプリンターによる印刷物で簡易的に蛍光折り紙を製造する。【０００５】  本考案では、神秘的かつ独創的な色として可視光下において有色かつ、近紫外線照射により光の三原色に発光する蛍光折り紙を提案する。
【課題を解決するための手段】
【０００６】  本考案の蛍光折り紙は、カラーレーザープリンター又はカラーＬＥＤプリンターによる印刷物であり、簡易的に製造が可能である。カラーレーザープリンター又はカラーＬＥＤプリンターにて蛍光顔料混入の樹脂で印刷することによって製造する。使用する樹脂はポリエステル樹脂、アクリル樹脂等の紙との親和性が高いものが望ましい。印刷する用紙は特に指定しないが、導電性のある程度あるものがよい。
【考案の効果】
【０００７】  可視光下において有色かつ、近紫外線照射により光の三原色に発光する。ブラックライト等の使用頻度が多いイベントホールやカラオケボックスなどの暗闇にて発光し、エンターテイメント性を与え、かつカラーレーザープリンター又はカラーＬＥＤプリンターによる印刷物で簡易的に蛍光折り紙を製造することができる。また、カラーレーザープリンター又はカラーＬＥＤプリンターによる印刷物であることから折り紙の色調及び柄等のアレンジは自由自在である。
【考案を実施するための形態】
【０００８】  折り紙を着色するのは、蛍光顔料混入の樹脂である。使用する樹脂は特に限定するわけではないが、ポリエステル樹脂、アクリル樹脂等の紙との親和性の高いものが望ましい。顔料である有機蛍光顔料の添加量を１ｗｔ％〜５０ｗｔ％望ましくは１０ｗｔ％以下である。１ｗｔ％より少ないと着色力及び発光力が乏しくなる。
【０００９】  本考案の蛍光折り紙は、カラーレーザープリンター又はカラーＬＥＤプリンターによる印刷物であり、簡易的に製造が可能である。使用する蛍光トナーはイエロー、マゼンタ、シアン、ホワイトの４色。これを組み合わせることで多彩な色調を再現することが出来る。また、折り紙の色調及び柄等は簡単に編集可能である。印刷する用紙は特に指定はないが、導電性がある程度あるものであればよい。
【実施例１】
【００１０】＜イエロー蛍光折り紙（グリーン発光）＞
有機蛍光顔料ＳＸ−１００５（シンロイヒ社製）１０．０部、その他トナーとして添加するごく一般的なもの使用し、トナーの製造を行った。その後、製造したトナーを使用し、カラーレーザープリンターにて印字し作成した。
【実施例２】＜マゼンタ蛍光折り紙（レッド発光）＞【００１１】  有機蛍光顔料ＳＸ−１０３７（シンロイヒ社製）１０．０部、その他トナーとして添加するごく一般的なもの使用し、トナーの製造を行った。その後、製造したトナーを使用し、カラーレーザープリンターにて印字し作成した。
【実施例３】＜シアン蛍光折り紙（ブルー発光）＞【００１２】  蛍光顔料としてシアン顔料２．０部及び蛍光増白剤ＴＩＮＯＰＡＬ（ＢＡＳＦジャパン社製）１．０部、その他トナーとして添加するごく一般的なもの使用し、トナーの製造を行った。その後、製造したトナーを使用し、カラーレーザープリンターにて印字し作成した。
【実施例４】
【００１３】＜ホワイト蛍光折り紙（青白発光）＞
蛍光顔料として酸化チタン５０．０部及び蛍光増白剤ＴＩＮＯＰＡＬ（ＢＡＳＦジャパン社製）１．０部、その他トナーとして添加するごく一般的なもの使用し、トナーの製造を行った。その後、製造したトナーを使用し、カラーレーザープリンターにて印字し作成した。
【産業上の利用可能性】
【００１４】  折り紙として利用し、ブラックライト等の使用頻度の高い環境下においてエンターテイメント性を与えることが可能である。
0003193200.tif 000003
【手続補正書】
【提出日】平成26年6月24日(2014.6.24)
【手続補正１】
【補正対象書類名】実用新案登録請求の範囲
【補正対象項目名】全文
【補正方法】変更
【補正の内容】
【実用新案登録請求の範囲】
【請求項１】
表面に蛍光顔料を印刷することで、可視光下において有色かつ、近紫外線照射により光の三原色に発光する蛍光折り紙。
【請求項２】
前記蛍光顔料は、カラーレーザープリンター又はカラーＬＥＤプリンターにより印刷されたことを特徴とする請求項１に記載の蛍光折り紙。
【手続補正２】
【補正対象書類名】明細書
【補正対象項目名】全文
【補正方法】変更
【補正の内容】
【考案の詳細な説明】
【技術分野】
【０００１】  本考案は折り紙の醍醐味である“折る”という機能性を保ちつつ、なおかつ可視光下において有色かつ、近紫外線照射によって光の三原色に発光することを特徴とする蛍光折り紙に関する。また、本考案はカラーレーザープリンター又はカラーＬＥＤプリンターによる印刷物に関する。
【背景技術】
【０００２】  現在、市販されている蛍光色の折り紙において可視光下で蛍光色を示すものは多いが暗闇において発光するものは少ない。
【考案の概要】
【考案が解決しようとする課題】
【０００３】  日本の伝統的文化である“おりがみ”。一枚の紙から花、動物などを折り出すことが出来るように“折る”ということが醍醐味であることは今昔変わりないが、近年、教育、リハビリテーションなど折り紙に求められる役割は多様化しているといえる。それに伴い、求められる色調も増加し、折り紙においてそれ自体の色も重要な要素のひとつである。【０００４】  現在、市販されている蛍光色の折り紙において可視光下で蛍光色を示すものは多いが、暗闇において発光するものは少ない。そこで、ブラックライト等の使用頻度が多いイベントホールやカラオケボックスなどの暗闇にて発光し、エンターテイメント性を与え、かつカラーレーザープリンター又はカラーＬＥＤプリンターによる印刷物で簡易的に蛍光折り紙を製造する。【０００５】  本考案では、神秘的かつ独創的な色として可視光下において有色かつ、近紫外線照射により光の三原色に発光する蛍光折り紙を提案する。
【課題を解決するための手段】
【０００６】  本考案の蛍光折り紙は、カラーレーザープリンター又はカラーＬＥＤプリンターによる印刷物であり、簡易的に製造が可能である。カラーレーザープリンター又はカラーＬＥＤプリンターにて蛍光顔料混入の樹脂で印刷することによって製造する。使用する樹脂はポリエステル樹脂、アクリル樹脂等の紙との親和性が高いものが望ましい。印刷する用紙は特に指定しないが、導電性のある程度あるものがよい。
【考案の効果】
【０００７】  可視光下において有色かつ、近紫外線照射により光の三原色に発光する。ブラックライト等の使用頻度が多いイベントホールやカラオケボックスなどの暗闇にて発光し、エンターテイメント性を与え、かつカラーレーザープリンター又はカラーＬＥＤプリンターによる印刷物で簡易的に蛍光折り紙を製造することができる。また、カラーレーザープリンター又はカラーＬＥＤプリンターによる印刷物であることから折り紙の色調及び柄等のアレンジは自由自在である。
【図面の簡単な説明】
【０００８】
【図１】図１はカラーレーザープリンター及びカラーＬＥＤプリンターによって印刷した蛍光折り紙の模式図である。
【考案を実施するための形態】
【０００９】  折り紙を着色するのは、蛍光顔料混入の樹脂である。使用する樹脂は特に限定するわけではないが、ポリエステル樹脂、アクリル樹脂等の紙との親和性の高いものが望ましい。顔料である有機蛍光顔料の添加量を１ｗｔ％〜５０ｗｔ％望ましくは１０ｗｔ％以下である。１ｗｔ％より少ないと着色力及び発光力が乏しくなる。
【００１０】  本考案の蛍光折り紙は、カラーレーザープリンター又はカラーＬＥＤプリンターによる印刷物であり、簡易的に製造が可能である。使用する蛍光トナーはイエロー、マゼンタ、シアン、ホワイトの４色。これを組み合わせることで多彩な色調を再現することが出来る。また、折り紙の色調及び柄等は簡単に編集可能である。印刷する用紙は特に指定はないが、導電性がある程度あるものであればよい。
【実施例１】＜イエロー蛍光折り紙（グリーン発光）＞【００１１】  有機蛍光顔料ＳＸ−１００５（シンロイヒ社製）１０．０部、その他トナーとして添加するごく一般的なもの使用し、トナーの製造を行った。その後、製造したトナーを使用し、カラーレーザープリンターにて印字し作成した。
【実施例２】＜マゼンタ蛍光折り紙（レッド発光）＞【００１２】  有機蛍光顔料ＳＸ−１０３７（シンロイヒ社製）１０．０部、その他トナーとして添加するごく一般的なもの使用し、トナーの製造を行った。その後、製造したトナーを使用し、カラーレーザープリンターにて印字し作成した。
【実施例３】＜シアン蛍光折り紙（ブルー発光）＞【００１３】  蛍光顔料としてシアン顔料２．０部及び蛍光増白剤ＴＩＮＯＰＡＬ（ＢＡＳＦジャパン社製）１．０部、その他トナーとして添加するごく一般的なもの使用し、トナーの製造を行った。その後、製造したトナーを使用し、カラーレーザープリンターにて印字し作成した。
【実施例４】
【００１４】＜ホワイト蛍光折り紙（青白発光）＞
蛍光顔料として酸化チタン５０．０部及び蛍光増白剤ＴＩＮＯＰＡＬ（ＢＡＳＦジャパン社製）１．０部、その他トナーとして添加するごく一般的なもの使用し、トナーの製造を行った。その後、製造したトナーを使用し、カラーレーザープリンターにて印字し作成した。
【産業上の利用可能性】
【００１５】  折り紙として利用し、ブラックライト等の使用頻度の高い環境下においてエンターテイメント性を与えることが可能である。
【手続補正３】
【補正対象書類名】図面
【補正対象項目名】全図
【補正方法】変更
【補正の内容】
【図１】
0003193200.tif 000004